(57)【特許請求の範囲】
【請求項１】
流体中に設置されて前記流体を通過させる過程で前記流体に混入された混入物を除去するバースクリーン装置において、
前記流体の流れの方向に対して直交する方向に所定間隔で配置された複数本の第１のフラットバーからなる第１のバースクリーンと、
この第１のバースクリーンに対して前記流体の流れの下流側に配置され前記複数本の第１のフラットバーと同じ間隔で配置された複数本の第２のフラットバーからなる第２のバースクリーンとを備え、
前記第１のフラットバーと前記第２のフラットバーとは千鳥状に配置され且つ前記第１のフラットバーの下流側の端部と前記第２のフラットバーの上流側端部とがほぼ同一面上に配置されてなり、
前記第１のバースクリーンは、前記第２のバースクリーンに対して前記第１及び第２のフラットバーの延びる方向にスライド自在に設けられ、前記流体よりも上方に引き上げ可能に構成されている
ことを特徴とするバースクリーン装置。
【請求項２】
前記第１及び第２のフラットバーは、上下方向に延びるように配置され、前記第１のバースクリーンは、上下に分割されて上部のみが上方にスライド可能に設けられていることを特徴とする請求項１記載のバースクリーン装置。
【発明の詳細な説明】
【０００１】
【発明の属する技術分野】
この発明は、海水等の流体に混入する混入物を除去する除塵装置等に用いられるバースクリーン装置に関する。
【０００２】
【従来の技術】
発電所等においては、海水を導いて冷却水を確保するための取水設備が用いられる。この種の取水設備には、海水に混入する流入物を除去回収するための除塵装置が用いられる。近年、流入物の種類は、発電所近郊河川堤防の除草ゴミや生活関連ゴミ類が増加してきており、これらの流入物が台風発生時等に一挙に大量流入して除塵装置が閉塞する等の問題が生じている。このため、最悪の場合には、復水器の冷却水量の低下による発電支障も発生しており、これら流入物の確実な除去対策が求められている。
【０００３】
取水設備等で使用される除塵装置は、一般に、海水に混入しているゴミを回収するロータリースクリーン、大きなごみをとってロータリースクリーンの保護をするバースクリーン、回収したゴミの収集場所であるやな場等を備える。このうち、バースクリーン装置は、長方形のフラットバーを複数本並べてスクリーン状に構成した固定式のバースクリーンが一般的である。また、従来、夾雑物によるスクリーンの目詰まりを防止するため、スクリーンの上流面に凹凸が形成されるようにフラットバーを配置したバースクリーン装置（特開平２−４３４０６号）や、水路に流れの方向に間隔を開けて配置された本体バースクリーンと補助バースクリーンとの間隔調整を行う調整機構を備えたバースクリーン装置（特開昭６１−２１２１５号）等が知られている。
【０００４】
【発明が解決しようとする課題】
しかしながら、このような従来のバースクリーン装置のうち前者は、フラットバーによって形成されるスリットが、流れの方向に対して長く延びているので、一直線の水流が形成され、スクリーンの上流面の凹凸に平らな堆積物が付着したような場合には、堆積物が広がったままで付着して流路を塞いでしまい、流動抵抗が上昇するという問題がある。また、後者は、本体バースクリーンと補助バースクリーンとが水の流れの方向に離間しているため、除去すべき比較的大きな異物が下流側に流れてしまい、塵芥補足能力に劣るという問題がある。
【０００５】
本発明は、このような問題点に鑑みてなされたもので、流路の流動抵抗が上昇し難く、十分な塵芥補足能力を有するバースクリーン装置を提供することを目的とする。
【０００６】
【課題を解決するための手段】
本発明に係るバースクリーン装置は、流体中に設置されて前記流体を通過させる過程で前記流体に混入された混入物を除去するバースクリーン装置において、前記流体の流れの方向に対して直交する方向に所定間隔で配置された複数本の第１のフラットバーからなる第１のバースクリーンと、この第１のバースクリーンに対して前記流体の流れの下流側に配置され前記複数本の第１のフラットバーと同じ間隔で配置された複数本の第２のフラットバーからなる第２のバースクリーンとを備え、前記第１のフラットバーは、前記第２のフラットバーに対して位相を１８０度ずらせて配置され且つ前記第１のフラットバーの下流側の端部と前記第２のフラットバーの上流側端部とがほぼ同一面上に配置されるように、前記第１及び第２のフラットバーが千鳥格子状に配置されてなることを特徴とする。
【０００７】
本発明によれば、第１のバースクリーンと第２のバースクリーンとが流体の流れに対して２段に配置され、前記第１のフラットバーと前記第２のフラットバーとが互いに位相を１８０度ずらせて配置され、更に第１のフラットバーの下流側の端部と前記第２のフラットバーの上流側端部とがほぼ同一面上に配置されるようにしているので、流体の流れを積極的に屈曲させることができ、これにより、堆積物が、広がったままで付着するのを防止することができる。また、第１のフラットバーの下流側の端部と前記第２のフラットバーの上流側端部とがほぼ同一面上に配置されるようにしているので、第１のフラットバーと第２のフラットバーとの間に大きな間隔が発生せず、このため塵芥補足能力も十分確保することができる。
【０００８】
なお、前記第１のバースクリーンは、前記第２のバースクリーンに対して前記第１及び第２のフラットバーの延びる方向にスライド自在に設けられていることが望ましい。また、前記第１及び第２のフラットバーは、上下方向に延びるように配置され、前記第１のバースクリーンは、上下に分割されて上部のみが上方にスライド可能に設けられるようにしても良い。
【０００９】
このような構成によれば、何らかの原因で上下流間で水位差が発生しても、第２のバースクリーンは残したまま、第１のバースクリーン又はその上部のみをスライドさせることにより、瞬時に水位差を解消することができる。その際において、スライドさせた第１のバースクリーン又はその一部のみを清掃し、そのバースクリーンを元に戻すことができる。これは、大きな異物がバースクリーンに引っかかった場合等における水位差解消の対策として、非常に有効である。
【００１０】
特に、第１及び第２のフラットバーが、上下方向に延びるように配置され、第１のバースクリーンが、上下に分割されて上部のみが上方にスライド可能に設けられるようにすることにより、流路の下部に砂等が堆積して第２のバースクリーンを引き上げることが困難になったり、再度セットすることができないといった不具合が解消され、作業負担を軽減することができる。
【００１１】
【発明の実施の形態】
以下、図面を参照して、この発明の好ましい実施の形態について説明する。
図１は、本発明の一実施形態に係るバースクリーン装置の概略を示す模式図であり、同図（ａ）は平面図、同図（ｂ）は正面図である。
このバースクリーン装置は、流体の流れの方向に対して直交する方向に所定間隔で配置された複数本の第１のフラットバー１１からなる第１のバースクリーン１０と、この第１のバースクリーン１０に対して流体の流れの下流側に配置され複数本の第２のフラットバー２１からなる第２のバースクリーン２０とを備える。第１のフラットバー１１と第２のフラットバー２１とは、同じ間隔で配置され、互いに位相を１８０度ずらせて配置されている。即ち、第１のフラットバー１１間の中間に第２のフラットバー２１が配置されるように第１及び第２のバースクリーン１０，２０を配置する。第１のフラットバー１１の下流側の端部と第２のフラットバー２１の上流側端部とは、ほぼ同一面上に配置されるように、第１及び第２のフラットバー１１，２１が千鳥格子状に配置されている。なお、第１のバースクリーン１０は、上下に分割され、上部を可動スクリーン１０ａとして上下にスライド可能とし、下部を固定スクリーン１０ｂとして第２のバースクリーン２０と共に固定している。
【００１２】
図２〜図４は、本発明の更に具体的な実施形態に係るバースクリーン装置を示す図であり、図２（ａ）は可動スクリーン１０ａを通常位置に配置したときの正面図、同図（ｂ）は可動スクリーン１０ａを引き上げたときの正面図、図３（ａ）は図２のＡ−Ａ′断面図、図３（ｂ）は（ａ）の斜視図、図４（ａ）は図２のＢ−Ｂ′断面図、図４（ｂ）は（ａ）の斜視図である。
【００１３】
これらの図において、図１と対応する部分には同一符号を付す。第１のバースクリーン１０の可動スクリーン１０ａは、上下に延びる複数本の第１のフラットバー１１を上下方向に所定間隔で連結バー１２で連結することにより格子状に形成してなる。第２のバースクリーン２０は、連結バー２２が設けられた矩形状の枠であるフレーム２３の上流側に複数本の第２のフラットバー２１を溶接等により固定したものである。第１のバースクリーン１０の固定スクリーン１０ｂのフラットバー１１は、図４に示すように、第２のバースクリーン２０のフラットバー２１と共に連結バー２２及びフレーム２３に固定されている。フレーム２３の上流側には、可動スクリーン１０ａを上下のスライド方向にガイドするガイド枠２４が設けられている。このフレーム２３には、その外側面側に突起２５が形成され、この突起２５が除塵装置等の取付溝２６に装着される。
【００１４】
可動スクリーン１０ａの背面側にはガイド溝１３が形成され、このガイド溝１３に第２のバースクリーン２０のフラットバー２１の前端縁が嵌合されて可動スクリーン１０ａが第２のバースクリーン２０に対して上下方向にガイドされる。可動スクリーン１０ａの上端部にはワイヤー１４が連結されており、このワイヤー１４が巻上器１５によって巻き上げ、巻き戻しされることにより、可動スクリーン１０ａが上下にスライドする。
【００１５】
以上のように構成された本実施形態のバースクリーン装置によれば、第１のフラットバー１１の下流側端部と第２のフラットバー２１の上流側端部とが同一面上に配置されるように、両者が互いの位相を１８０度異ならせて千鳥状に配置されているので、図５（ｂ）に示すように、流体の流れを積極的に屈曲させることができ、これにより同図（ａ）のように、単に水流に対して上流側に凹凸を付けた従来例に比し、堆積物が広がったままで付着するのを防止することができる。
【００１６】
また、図６（ｂ）のように、第１のフラットバー１１の下流側の端部と第２のフラットバー２１の上流側端部とがほぼ同一面上に配置されるようにしているので、図６（ａ）のように、第１のフラットバー１１と第２のフラットバー２１との間に大きな間隔が発生せず、このため塵芥補足能力も十分確保することができる。
【００１７】
更に、何らかの原因により水位差が発生しても、図２（ｂ）のように、巻上器１５によって可動スクリーン１０ａのみを上方に引き上げることで、開き目は２倍となり、瞬時に水位差を解消することができる。その際において、引き上げた可動スクリーン１０ａを清掃し、スクリーンを下方にスライドさせて、スクリーンの開き目を元に戻すことが可能である。これは、大きな異物が可動スクリーン１０ａに引っかかった場合などにおける水位差の解消策として非常に有効である。
【００１８】
また、本装置は、第１のバースクリーン１０を上下に分割して上部のみを可動式としているので、バースクリーン装置の下部に砂が堆積してバースクリーンを引き上げるのが困難になったりすることがなく、可動スクリーン１０ａの引き上げ作業も極めて容易である。
【００１９】
【発明の効果】
以上述べたようにこの発明によれば、第１のバースクリーンと第２のバースクリーンとが流体の流れに対して２段に配置され、前記第１のフラットバーと前記第２のフラットバーとが互いに位相を１８０度ずらせて配置され、更に第１のフラットバーの下流側の端部と前記第２のフラットバーの上流側端部とがほぼ同一面上に配置されるようにしているので、流体の流れを積極的に屈曲させることができ、これにより、堆積物が、広がったままで付着するのを防止することができると共に、第１のフラットバーと第２のフラットバーとの間に大きな間隔が発生せず、このため塵芥補足能力も十分確保することができるという効果を奏する。
【図面の簡単な説明】
【図１】  本発明の一実施形態に係るバースクリーン装置の要部を模式的に示す図である。
【図２】  同バースクリーン装置の更に詳細を示す正面図である。
【図３】  同バースクリーン装置の図２におけるＡ−Ａ′断面図及び斜視図である。
【図４】  同バースクリーン装置の図２におけるＢ−Ｂ′断面図及び斜視図である。
【図５】  同バースクリーンの効果を説明するための図である。
【図６】  同バースクリーンの他の効果を説明するための図である。
【符号の説明】
１０…第１のバースクリーン、１１…第１のフラットバー、１２，２２…連結バー、１３…ガイド溝、１４…ワイヤー、１５…巻上器、２０…第２のバースクリーン、２１…第２のフラットバー、２３…フレーム、２４…ガイド枠、２５…突起、２６…取付溝。
【図１】
0004230125.tif 000002
【図２】
0004230125.tif 000003
【図３】
0004230125.tif 000004
【図４】
0004230125.tif 000005
【図５】
0004230125.tif 000006
【図６】
0004230125.tif 000007